(57)【要約】【課題】認証用タグを紛失しても、その無効化を容易に行うことができる上に、認証用タグの管理を簡易にする認証登録・無効化装置を提供する。【解決手段】認識エリアＡ内の操作用タグ１０ｂが発信するＲＦＩＤ信号であって、無効化指示を含むＲＦＩＤ信号をＲＦＩＤリーダ２が受信すると、操作モードを無効化可能モードに設定し、この無効化可能モードの設定前または設定後に、ＲＦＩＤタグ認識手段３１ａが認証用タグ１０ａを認識すると、この認証用タグ１０ａを無効化するか、またはこの認証用タグが所属するグループに所属する全ての認証用タグ１０ａを無効化する無効化手段３２ｂを備える。【選択図】図１０
2014219752.tif 000002
【特許請求の範囲】
【請求項１】
認証用タグおよび操作用タグを含むＲＦＩＤタグのうち、前記認証用タグを、前記操作用タグを用いて認証登録または認証無効化する装置であって、
認識エリア内に位置するＲＦＩＤタグからの信号を受信するＲＦＩＤリーダと、
前記ＲＦＩＤリーダが受信する信号に基づいて、前記認識エリア内に位置するＲＦＩＤタグを認識するＲＦＩＤタグ認識手段と、
前記認識エリア内の操作用タグが発信した登録指示を含むＲＦＩＤ信号を前記ＲＦＩＤリーダが受信して未だ登録可能モードに設定されていない場合には、操作モードを登録可能モードに設定し、この登録可能モードの設定後で前記操作モードが前記登録可能モードの間に、前記ＲＦＩＤタグ認識手段が認証用タグを認識すると、この認証用タグを、操作対象認証用タグとし、ある一のグループのみに所属させる登録手段と、
前記認識エリア内の操作用タグが発信した無効化指示を含むＲＦＩＤ信号を前記ＲＦＩＤリーダが受信して未だ無効化可能モードに設定されていない場合には、前記操作モードを無効化可能モードに設定し、この無効化可能モードの設定前、または設定後で前記操作モードが前記無効化可能モードの間に、前記ＲＦＩＤタグ認識手段が認証用タグを認識すると、この認証用タグを無効化するか、またはこの認証用タグが所属するグループに所属する全ての認証用タグを無効化する無効化手段とを備えた、認証登録・無効化装置。
【請求項２】
請求項１に記載の認証登録・無効化装置において、
前記無効化手段が前記認証用タグを無効化するかまたは前記認証用タグが所属するグループに所属する全ての認証用タグを無効化するかは、前記無効化可能モードの設定前と、設定後で前記操作モードが前記無効化可能モードの間のいずれに前記ＲＦＩＤタグ認識手段によって前記認証用タグが認識されたかに応じる、認証登録・無効化装置。
【請求項３】
請求項１または２に記載の認証登録・無効化装置において、
前記登録可能モードの設定前に、前記ＲＦＩＤタグ認識手段によって前記操作対象認証用タグとは別の既登録認証用タグが認識されたか否かに応じて、前記登録手段が前記操作対象認証用タグを所属させる前記ある一のグループは、前記別の既登録認証用タグが所属する一のグループと新規な一のグループのいずれかに分類される、認証登録・無効化装置。
【請求項４】
請求項２に記載の認証登録・無効化装置において、
前記無効化手段は、
前記無効化可能モードの設定前に前記ＲＦＩＤタグ認識手段が既登録認証用タグを認識すると、この既登録認証用タグが所属するグループに所属する全ての認証用タグを無効化し、
前記無効化可能モードの設定後で前記操作モードが前記無効化可能モードの間に前記ＲＦＩＤタグ認識手段が既登録認証用タグを認識すると、この既登録認証用タグを無効化する、認証登録・無効化装置。
【請求項５】
請求項３に記載の認証登録・無効化装置において、
前記登録手段は、
前記登録可能モードの設定前に前記ＲＦＩＤタグ認識手段が前記別の既登録認証用タグを認識せず、前記ＲＦＩＤタグ認識手段が前記操作対象認証用タグとして未登録認証用タグを認識すると、この未登録認証用タグを、新規な一のグループに所属させ、
前記登録可能モードの設定前に前記ＲＦＩＤタグ認識手段が前記別の既登録認証用タグを認識し、前記ＲＦＩＤタグ認識手段が前記操作対象認証用タグとして未登録認証用タグを認識すると、この未登録認証用タグを、前記別の既登録認証用タグが所属する一のグループに所属させ、
前記登録可能モードの設定前に前記ＲＦＩＤタグ認識手段が前記別の既登録認証用タグを認識せず、前記ＲＦＩＤタグ認識手段が前記操作対象認証用タグとして既登録認証用タグを認識すると、この既登録認証用タグを、その時点で所属しているグループへの所属は解除して、そのグループとは別の新規な一のグループに所属させ、
前記登録可能モードの設定前に前記ＲＦＩＤタグ認識手段が前記別の既登録認証用タグを認識し、前記ＲＦＩＤタグ認識手段が前記操作対象認証用タグとして既登録認証用タグを認識すると、この既登録認証用タグを、その時点で所属しているグループへの所属は解除して、前記別の既登録認証用タグが所属する一のグループに所属させる、認証登録・無効化装置。
【請求項６】
請求項５に記載の認証登録・無効化装置において、
前記登録可能モードの設定前に前記ＲＦＩＤタグ認識手段によって前記別の既登録認証用タグが認識された場合に、前記登録手段が、前記操作モードを登録可能モードに設定するのは、前記登録可能モードの設定前に前記ＲＦＩＤタグ認識手段によって認識される前記別の既登録認証用タグが１つの場合と、当該別の既登録認証用タグが複数で全て同一のグループに所属する場合とのいずれか一方の場合のみである、認証登録・無効化装置。
【請求項７】
請求項４に記載の認証登録・無効化装置において、
前記無効化可能モードの設定前に既登録認証用タグが認識された場合に前記無効化手段が前記操作モードを無効化可能モードに設定するのは、前記無効化可能モードの設定前に前記ＲＦＩＤタグ認識手段によって認識される既登録認証用タグが１つの場合と、当該既登録認証用タグが複数で全て同一のグループに所属する場合とのいずれか一方の場合のみである、認証登録・無効化装置。
【請求項８】
請求項１から７のいずれか一項に記載の認証登録・無効化装置において、さらに、
前記ＲＦＩＤタグ認識手段が認識したＲＦＩＤタグのうち、認証用タグについて、前記登録手段および前記無効化手段が設定した状態に基づいて、認証登録されているか否かを判定する認証手段と、
前記認証手段が認証登録されていると判定すると、認証登録されている旨の結果を出力する認証通知手段とを備えた、認証登録・無効化装置。
【請求項９】
請求項８に記載の認証登録・無効化装置において、
前記認証通知手段が前記結果を出力することによって、開閉手段の開放が許可される、認証登録・無効化装置。
【発明の詳細な説明】
【技術分野】
【０００１】
本発明は、認証用のＲＦＩＤタグである認証用タグの認証登録または認証無効化を、操作用タグを用いて行う装置に関する。
【背景技術】
【０００２】
従来、ＲＦＩＤタグが内蔵されたＩＣカードが認証用に用いられる。このＲＦＩＤタグの認証登録や認証無効化の方法の１つとして、登録用カードと抹消用（無効化用）カードを用いて所定の操作を行う方法がある（例えば、特許文献１）。この認証登録や認証無効化の操作には、登録用カードや抹消用カードに加えて、認証登録や認証無効化の対象であるＲＦＩＤタグも必要である。
【０００３】
しかし、ＩＣカードを紛失すると、そのカードが内蔵するＲＦＩＤタグを無効化できない。これに対して、特許文献２では、登録されたＩＣカードとペアを構成する管理用ＩＣカード、または登録された複数のＩＣカードとグループを構成する管理用ＩＣカードを準備して管理者が保管し、登録されたＩＣカードが紛失した場合、その管理用ＩＣカードを用いて無効化を行う。
【先行技術文献】
【特許文献】
【０００４】
【特許文献１】特許第２６８３３７９号公報
【特許文献２】実用新案登録第３１４４０３０号公報
【発明の概要】
【発明が解決しようとする課題】
【０００５】
しかし、登録されるＩＣカードごと、または登録されるＩＣカードのグループごとに管理用ＩＣカードが存在すると、ＩＣカードの数やグループ数が多い場合には、管理用ＩＣカードの数が膨大になる。したがって、管理用ＩＣカードの管理が煩雑であり、コストも増大する。また、管理者は多数の管理用ＩＣカードを管理するため、誤って他の管理用ＩＣカードを用いる可能性もある。さらに、ＩＣカードが複数のグループに所属する場合、その複数のグループのうちの一部のグループへの所属のみを解除するのは困難であるため、通常は無効化によって全てのグループへの所属が解除されてしまい、必要なグループに再度所属させるためには、煩雑な管理を伴う。
【０００６】
そこで、本発明は、認証用タグを紛失しても、その無効化を容易に行うことができる上に、認証用タグの管理を簡易にする認証登録・無効化装置を提供することを目的とする。
【課題を解決するための手段】
【０００７】
上記目的を達成するために、本発明にかかる認証登録・無効化装置は、認証用タグおよび操作用タグを含むＲＦＩＤタグのうち、前記認証用タグを、前記操作用タグを用いて認証登録または認証無効化する装置であって、認識エリア内に位置するＲＦＩＤタグからの信号を受信するＲＦＩＤリーダと、前記ＲＦＩＤリーダが受信する信号に基づいて、前記認識エリア内に位置するＲＦＩＤタグを認識するＲＦＩＤタグ認識手段と、前記認識エリア内の操作用タグが発信した登録指示を含むＲＦＩＤ信号を前記ＲＦＩＤリーダが受信して未だ登録可能モードに設定されていない場合には、操作モードを登録可能モードに設定し、この登録可能モードの設定後で前記操作モードが前記登録可能モードの間に、前記ＲＦＩＤタグ認識手段が認証用タグを認識すると、この認証用タグを、操作対象認証用タグとし、ある一のグループのみに所属させる登録手段と、前記認識エリア内の操作用タグが発信した無効化指示を含むＲＦＩＤ信号を前記ＲＦＩＤリーダが受信して未だ無効化可能モードに設定されていない場合には、前記操作モードを無効化可能モードに設定し、この無効化可能モードの設定前、または設定後で前記操作モードが前記無効化可能モードの間に、前記ＲＦＩＤタグ認識手段が認証用タグを認識すると、この認証用タグを無効化するか、またはこの認証用タグが所属するグループに所属する全ての認証用タグを無効化する無効化手段とを備える。
【０００８】
ここで、「認証用タグ」と「操作用タグ」は、例えば、それらが発信するＲＦＩＤ信号に認証用タグまたは操作用タグであることを示す識別子を含み、ＲＦＩＤリーダで認証用タグと操作用タグのいずれから発信されたＲＦＩＤ信号であるかを判定できるようにしてもよい。
【０００９】
また、「グループ」は、任意に設定が可能である。グループの例として、企業であれば部署がグループに相当してもよく、マンションであれば部屋（賃貸や分譲の単位）がグループに相当してもよい。グループが部署の場合、その構成員である社員がそれぞれ同一グループに所属する認証用タグが内蔵されたＩＣカードを所持する。グループがマンションの部屋の場合、同一の部屋の住人（同居人）がそれぞれ同一グループに所属する認証用タグが内蔵されたＩＣカードを所持する。
【００１０】
また、「登録指示」と「無効化指示」は、単一の操作用タグが発信するＲＦＩＤ信号を切替えることで、そのＲＦＩＤ信号に含めるようにしてもよい。代わりに、登録のための操作用タグと無効化のための操作用タグとが別個のものであってもよい。
【００１１】
さらに、「無効化可能モードの設定前」とは、ある時点からこのモードを設定する時点までの期間であって、これらモードの設定時点も含む。一方、「登録可能モードの設定後」および「無効化可能モードの設定後」とは、これらモードの設定時点直後からこれらモードが終了するまでの期間である。特に、ＲＦＩＤタグが、電池を内蔵する、セミアクティブ型またはアクティブ型で、ＲＦＩＤリーダが認証用タグと操作用タグのＲＦＩＤ信号を同時に受信できる場合には、このモードの設定時点においてその認証用タグを認識する場合に、「無効化可能モードの設定前」に認証用タグを認識したとするのが好ましい。一方、ＲＦＩＤタグが電池を内蔵しないパッシブ型の場合、ＲＦＩＤリーダは認証用タグと操作用タグのＲＦＩＤ信号を同時に受信できないため、このモードの設定時点よりも所定期間前の時点から設定時点までの間に瞬間的に認証用タグを認識する場合でも、「無効化可能モードの設定前」に認証用タグを認識したとする。
【００１２】
なお、登録手段が「認証用タグをある一のグループに所属させる」ことには、未登録の認証用タグを一の新規グループに所属させて登録することと、未登録の認証用タグを一の既存グループに所属させて登録することと、既登録の認証用タグを一の新規グループに所属させることと、既登録の認証用タグを別の一の既存グループに所属させることとの４種類の場合が含まれる。
【００１３】
この構成によれば、登録手段では認証用タグをある一のグループのみに所属させ、複数のグループに所属させるわけではないため、認証用タグとグループは必ず一対一に対応し、認証用タグとグループとの対応関係を管理者は容易に把握できる。仮に認証用タグが複数のグループに所属する場合、パーソナルコンピュータのディスプレイなどによって、認証用タグとグループとの対応関係を表示して管理者がそれを確認する必要があるが、認証用タグが一のグループのみに所属するため、このような表示は不要である。
【００１４】
また、認証用タグは必ず一のグループに所属するため、認証用タグを含むＩＣカードが紛失した場合には、その認証用タグが所属するグループに所属する全ての認証用タグを無効化することで、容易に紛失した認証用タグを無効化できる。なお、このようにＩＣカードの紛失に備えて、各グループには、好ましくは、２つ以上の認証用タグが所属する。
【００１５】
さらに、操作用タグからの指示に応じて、操作モードが登録可能モードまたは無効化可能モードに設定され、登録可能モードでは認識された認証用タグを一のグループに所属させ、無効化可能モードでは認識された認証用タグを無効化するか、またはこの認証用タグが所属するグループに所属する全ての認証用タグを無効化するので、操作用タグは、この認証登録・無効化装置に１つあればよく、グループごとの操作用タグは不要である。したがって、操作用タグの管理が煩雑になることはない。
【００１６】
好ましい実施形態によれば、前記無効化手段が前記認証用タグを無効化するかまたは前記認証用タグが所属するグループに所属する全ての認証用タグを無効化するかは、前記無効化可能モードの設定前と、設定後で前記操作モードが前記無効化可能モードの間のいずれに前記ＲＦＩＤタグ認識手段によって前記認証用タグが認識されたかに応じる。
【００１７】
このように、無効化可能モードの設定前と設定後のいずれに認証用タグが認識されたかに応じて無効化する認証用タグが異なるため、モードの設定と認証用タグの認識の順序を変更するだけで、多様な無効化に対応できる。したがって、単一の操作用タグが無効化指示を含むＲＦＩＤ信号を発信できさえすれば、１つの認証用タグの無効化とグループに所属する全ての認証用タグの無効化の両方が可能となる。なお、単一の操作用タグは登録指示と無効化指示を含むＲＦＩＤ信号を発信できるものでも、登録指示用の単一の操作用タグと無効化指示用の単一の操作用タグからなるものであってもよい。
【００１８】
好ましい実施形態によれば、前記登録可能モードの設定前に、前記ＲＦＩＤタグ認識手段によって前記操作対象認証用タグとは別の既登録認証用タグが認識されたか否かに応じて、前記登録手段が前記操作対象認証用タグを所属させる前記ある一のグループは、前記別の既登録認証用タグが所属する一のグループと新規な一のグループのいずれかに分類される。
【００１９】
ここで、「登録可能モードの設定前」とは、ある時点からこのモードを設定する時点までの期間であって、これらモードの設定時点も含む。特に、ＲＦＩＤタグが、電池を内蔵する、セミアクティブ型またはアクティブ型で、ＲＦＩＤリーダが認証用タグと操作用タグのＲＦＩＤ信号を同時に受信できる場合には、好ましくは、このモードの設定時点を指す。そのため、登録可能モードの設定前に別の既登録認証用タグを認識するかしないかは、好ましくは、このモードの設定時点においてその既登録認証用タグを認識するかしないかによる。一方、ＲＦＩＤタグが電池を内蔵しないパッシブ型の場合、ＲＦＩＤリーダは認証用タグと操作用タグのＲＦＩＤ信号を同時に受信できないため、このモードの設定時点よりも所定期間前の時点から設定時点までの間に瞬間的に認証用タグを認識する場合に、「登録可能モードの設定前」に認証用タグを認識したとする。
【００２０】
このように、登録可能モードの設定前に操作対象認証用タグとは別の既登録認証用タグが認識されたかに応じて所属させるグループが異なるため、別の既登録認証用タグがあるかないかだけで、多様な登録に対応できる。したがって、単一の操作用タグが登録指示を含むＲＦＩＤ信号を発信できさえすれば、認証用タグは異なるグループへの所属が可能である。
【００２１】
前記登録可能モードまたは前記無効化可能モードは、前記操作モードが前記登録可能モードまたは前記無効化可能モードの間に、前記認識エリア内の操作用タグが発信するＲＦＩＤ信号から登録指示または無効化指示がなくなった時点で終了してもよい。代わりに、前記登録可能モードまたは前記無効化可能モードは、その設定から所定時間後に終了してもよい。
【００２２】
別の好ましい実施形態によれば、前記無効化手段は、前記無効化可能モードの設定前に前記ＲＦＩＤタグ認識手段が既登録認証用タグを認識すると、この既登録認証用タグが所属するグループに所属する全ての認証用タグを無効化し、前記無効化可能モードの設定後で前記操作モードが前記無効化可能モードの間に前記ＲＦＩＤタグ認識手段が既登録認証用タグを認識すると、この既登録認証用タグを無効化する。
【００２３】
このように、無効化可能モードの設定前に既登録認証用タグが認識されると、この既登録認証用タグが所属するグループに所属する全ての認証用タグを無効化するため、認証用タグが紛失した場合でも、その紛失した認証用タグと同一のグループに所属する認証用タグを用いて一旦そのグループに所属する全ての認証用タグを無効化し、その後、紛失したタグ以外の無効化された認証用タグを同一のグループに所属させて登録することで、紛失した認証用タグのみを容易に無効化できる。また、認証用タグを紛失した場合に限らず、既登録認証用タグの所持者が不在の場合でも、その既登録認証用タグを用いずに同様の方法で無効化できる。その一方、無効化可能モードの設定後のそのモードの間に既登録認証用タグが認識されると、この既登録認証用タグのみが無効化される。すなわち、単一の認証用タグを、その認証用タグを用いても用いなくても無効化できる。
【００２４】
さらに好ましい実施形態によれば、前記登録手段は、前記登録可能モードの設定前に前記ＲＦＩＤタグ認識手段が前記別の既登録認証用タグを認識せず、前記ＲＦＩＤタグ認識手段が前記操作対象認証用タグとして未登録認証用タグを認識すると、この未登録認証用タグを、新規な一のグループに所属させ、前記登録可能モードの設定前に前記ＲＦＩＤタグ認識手段が前記別の既登録認証用タグを認識し、前記ＲＦＩＤタグ認識手段が前記操作対象認証用タグとして未登録認証用タグを認識すると、この未登録認証用タグを、前記別の既登録認証用タグが所属する一のグループに所属させ、前記登録可能モードの設定前に前記ＲＦＩＤタグ認識手段が前記別の既登録認証用タグを認識せず、前記ＲＦＩＤタグ認識手段が前記操作対象認証用タグとして既登録認証用タグを認識すると、この既登録認証用タグを、その時点で所属しているグループへの所属は解除して、そのグループとは別の新規な一のグループに所属させ、前記登録可能モードの設定前に前記ＲＦＩＤタグ認識手段が前記別の既登録認証用タグを認識し、前記ＲＦＩＤタグ認識手段が前記操作対象認証用タグとして既登録認証用タグを認識すると、この既登録認証用タグを、その時点で所属しているグループへの所属は解除して、前記別の既登録認証用タグが所属する一のグループに所属させる。
【００２５】
これによれば、未登録認証用タグであるか既登録認証用タグであるかにかかわらず既存グループに所属させるには、単にそのグループに所属する別の既登録認証用タグを登録可能モードの設定前に認識させればよい。したがって、簡易な操作で既存グループに認証用タグを所属させることができる。一方、未登録認証用タグであるか既登録認証用タグであるかにかかわらず、登録可能モードの設定前に別の既登録認証用タグが認識されなければ、新規な一のグループへの所属となる。したがって、認証用タグの現在の登録状況とは無関係に、認証用タグを容易に新規なグループに所属させることができる。
【００２６】
さらに好ましくは、前記登録可能モードの設定前に前記ＲＦＩＤタグ認識手段によって前記別の既登録認証用タグが認識された場合に、前記登録手段が、前記操作モードを登録可能モードに設定するのは、前記登録可能モードの設定前に前記ＲＦＩＤタグ認識手段によって認識される前記別の既登録認証用タグが１つの場合と、当該別の既登録認証用タグが複数で全て同一のグループに所属する場合とのいずれか一方の場合のみである。これによれば、異なるグループに所属する既登録認証用タグが登録可能モードの設定前に認識されると、登録可能モードの間に認識されたタグを前記異なるグループのうちのいずれのグループに所属させるべきか選択できないため、そのような場合には登録手段による処理が行われないようにする。
【００２７】
さらに好ましくは、前記無効化可能モードの設定前に既登録認証用タグが認識された場合に前記無効化手段が前記操作モードを無効化可能モードに設定するのは、前記無効化可能モードの設定前に前記ＲＦＩＤタグ認識手段によって認識される既登録認証用タグが１つの場合と、当該既登録認証用タグが複数で全て同一のグループに所属する場合とのいずれか一方の場合のみである。これは、別個の異なるグループに所属する既登録認証用タグが無効化可能モードの設定前に認識された場合に、一方の認証用タグが、無効化の対象ではなく、たまたま認識エリア内に位置する場合があるからである。すなわち、これによれば、無効化の対象ではない既登録認証用タグが所属するグループの全ての認証用タグを無効化することを防止して、無効化の対象である既登録認証用タグが所属するグループのみの全ての認証用タグを無効化できる。
【００２８】
好ましくは、さらに、前記ＲＦＩＤタグ認識手段が認識したＲＦＩＤタグのうち、認証用タグについて、前記登録・無効化手段が設定した状態に基づいて、認証登録されているか否かを判定する認証手段と、前記認証手段が認証登録されていると判定すると、認証登録されている旨の結果を出力する認証通知手段とを備える。すなわち、本認証登録・無効化装置は、認証装置によって実現されている。したがって、認証装置とは別個に認証登録・無効化のための装置を設ける必要がない。
【００２９】
好ましくは、前記認証通知手段が前記結果を出力することによって、開閉手段の開放が許可される。前記開放手段は、例えば、自動式または手動式のドアやシャッタである。代わりに、前記認証通知手段が前記結果を出力することによって、例えば、ランプが点滅されて報知されるものであってもよい。
【発明の効果】
【００３０】
本発明の認証登録・無効化装置によれば、認証用タグを紛失しても、その無効化を容易に行うことができる上に、認証用タグの管理を簡易にできる。
【図面の簡単な説明】
【００３１】
【図１】本発明の一実施形態に係る認証登録・無効化装置の概略ブロック図である。
【図２】本発明の一実施形態に係る認証登録・無効化装置が設けられた周辺領域の上面図である。
【図３】図１の認証登録・無効化装置の認識エリアを示す概略上面図である。
【図４】図１の認証登録・無効化装置が認証する操作用タグの斜視図である。
【図５】（ａ）〜（ｃ）は、本発明の一実施形態に係る認証登録・無効化装置の登録処理手順１を段階的に示す図であって、それぞれ、その段階の認識エリアを示す概略上面図と、必要に応じて、その段階における管理テーブルの状態とを示す図である。
【図６】（ａ）〜（ｃ）は、本発明の一実施形態に係る認証登録・無効化装置の登録処理手順２を段階的に示す図であって、それぞれ、その段階の認識エリアを示す概略上面図と、その段階における管理テーブルの状態とを示す図である。
【図７】（ａ）〜（ｃ）は、本発明の一実施形態に係る認証登録・無効化装置の登録処理手順３を段階的に示す図であって、それぞれ、その段階の認識エリアを示す概略上面図と、その段階における管理テーブルの状態とを示す図である。
【図８】（ａ）〜（ｃ）は、本発明の一実施形態に係る認証登録・無効化装置の登録処理手順４を段階的に示す図であって、それぞれ、その段階の認識エリアを示す概略上面図と、その段階における管理テーブルの状態とを示す図である。
【図９】（ａ）〜（ｃ）は、本発明の一実施形態に係る認証登録・無効化装置の無効化処理手順１を段階的に示す図であって、それぞれ、その段階の認識エリアを示す概略上面図と、その段階における管理テーブルの状態とを示す図である。
【図１０】（ａ）および（ｂ）は、本発明の一実施形態に係る認証登録・無効化装置の無効化処理手順２を段階的に示す図であって、それぞれ、その段階の認識エリアを示す概略上面図と、その段階における管理テーブルの状態とを示す図である。
【発明を実施するための形態】
【００３２】
以下、本発明の一実施形態に係る認証登録・無効化装置について図面に基づいて説明する。
図１に、本発明の一実施形態に係る認証登録・無効化装置１を示す。この認証登録・無効化装置１は、人間によって携帯されたＲＦＩＤタグが認証登録されているか否かを判定する認証装置自体に、認証登録・無効化のための機能を組み込むことによって実現されている。
【００３３】
本認証登録・無効化装置１は、例えば、企業の建物における重要な出入口やマンションの出入口に設置されており、ＲＦＩＤタグが認証登録されていると判定した場合にのみ、出入口に設けたドア５のような開閉手段の開放を、制御装置６を介して許可する。図２に示すように、認証登録・無効化装置１は、例えば、両開き自動ドア５の周辺の壁５１に取付けられる。なお、開閉手段５としては、シャッタであってもよく、その他、認証した場合に開放が許可されるものであれば、自動か手動かにかかわらずいかなるものであってもよい。
【００３４】
図１に戻って、認証登録・無効化装置１は、ＲＦＩＤリーダ２および処理部３を備える。ＲＦＩＤリーダ２は、図３に示すように、認識エリアＡ内のＲＦＩＤタグ１０からのＲＦＩＤ信号（電波）を受信する。認識エリアＡ内には、複数のＲＦＩＤタグ１０が位置できる。これら複数のＲＦＩＤタグ１０が認識エリアＡ内で定期的に発信するＲＦＩＤ信号には、各ＲＦＩＤタグ１０に固有のＩＤ情報が含まれる。ＲＦＩＤリーダ２は、これら複数のＲＦＩＤタグ１０からのＲＦＩＤ信号を受信する。なお、認識エリアＡは、認証登録・無効化装置１が認証装置として機能している際には、認証エリアとなる。
【００３５】
本実施形態において、ＲＦＩＤタグ１０は、電池を内蔵し、起動源によって起動される起動エリア内でのみ自ら電波を発信するいわゆるセミアクティブ型である。
【００３６】
ＲＦＩＤタグ１０がいわゆるセミアクティブ型であるため、認識エリアＡを構成するトリガ磁界を発生する磁界発生手段２１が存在する。磁界発生手段２１は、トリガコイル２１ａおよびこのトリガコイル２１ａに磁界を発生させるトリガユニット２１ｂとからなる。図２に示すように、トリガコイル２１ａは例えば建物の外側のドア５近傍の床に埋め込まれ、トリガユニット２１ｂは壁５１に取付けられ、図示しない配線でトリガコイル２１ａに接続される。
【００３７】
図３において、ＲＦＩＤタグ１０は認証用タグ１０ａと操作用タグ１０ｂのいずれか一方に分類される。認証用タグ１０ａは認証に用いられる。したがって、権限を有する人物は、認証登録された認証用タグ１０ａが内蔵されたＩＣカードのような被認証物を携帯する。ただし、ＲＦＩＤタグ１０がいわゆるセミアクティブ型の場合、この被認証物はカード形状に限定されず、携帯しやすい形状からなるものであれば、いかなるものであってもよい。
【００３８】
操作用タグ１０ｂは、図４に示すように、人間の掌に収まる程度の寸法からなる指示装置４０内に内蔵されている。指示装置４０は、切替用ボタン４１および指示用ボタン４２を有する。切替用ボタン４１は登録、無効化および終了を切り替えるためのボタンであり、このボタンの押下により、指示用ボタン４２の指示が登録、無効化および終了の間で切り替えられる。指示用ボタン４２は、切替用ボタン４１による切替えに応じて、登録可能モードの設定、無効化可能モードの設定または登録可能モードもしくは無効化可能モードの終了を指示するためのボタンである。
【００３９】
指示装置４０は、また、ＬＥＤランプなどからなる報知手段４３を有する。ＬＥＤランプ４３は、点滅などによって、この指示装置４０の操作者に、ボタン４１，４２の操作が実行されたことを報知する。
【００４０】
なお、ＲＦＩＤタグ１０（図３）が操作用タグ１０ｂであるか認証用タグ１０ａ（図３）であるかは、その発信するＲＦＩＤ信号に含まれる、認証用タグまたは操作用タグであることを示す識別子で判定される。したがって、この指示装置４０に含まれる操作用タグ１０ｂは、図示しないボタンの押下によって認証用タグと操作用タグとの間で切り替えられて、認証用タグと操作用タグのいずれにもなり得るものであってもよい。操作用タグ１０ｂは、また、登録可能モード設定のための操作用タグ、無効化可能モード設定のための操作用タグ、および登録可能モードもしくは無効化可能モードの終了のための操作用タグが、それぞれ別個のものであってもよい。
【００４１】
図１に戻って、処理部３は、ＲＦＩＤタグ認識部３１、登録・無効化処理部３２、認証処理部３３およびメモリ上に構成された管理テーブル４を有する。ここで、登録・無効化処理部３２と認証処理部３３とは、同時に処理を実行することはない。すなわち、認証登録または認証無効化を行っている間は、登録・無効化処理部３２の処理が実行されるのに対して、開閉手段５の開放を許可するために認証を行っている間は、認証処理部３３の処理が実行される。
【００４２】
ＲＦＩＤタグ認識部３１はＲＦＩＤタグ認識手段３１ａを含む。ＲＦＩＤタグ認識手段３１ａは、ＲＦＩＤリーダ２が受信する信号に基づいて、認識エリアＡ（図２）内に位置する全てのＲＦＩＤタグを認識する。
【００４３】
登録・無効化処理部３２は、登録手段３２ａおよび無効化手段３２ｂを含む。登録手段３２ａは、後述するように、認証用タグをある一のグループに所属させる。無効化手段３２ｂは、認証用タグを無効化する。ここで、認証用タグは、登録されると必ずある一のグループのみに所属し、無効化されるとそのグループの所属が解除される。
【００４４】
認証処理部３３は、認証手段３３ａおよび認証通知手段３３ｂを含む。認証手段３３ａは、ＲＦＩＤタグ認識手段３１ａが認識した全てのＲＦＩＤタグについて、管理テーブル４を参照して登録されているか否かを判定する。認証通知手段３３ｂは、認証手段３３ａが少なくとも１つの認証用タグが登録されていると判定すると、ドア５の開放を許可する信号をドア制御装置６に出力する。
【００４５】
次に、本実施形態に係る認証登録・無効化装置１の登録処理手順および無効化処理手順について説明する。なお、登録処理手順には、未登録の認証用タグを一のグループに所属させて登録する処理手順のみならず、既登録の認証用タグを別のグループに所属させる処理手順も含まれる。
【００４６】
＜登録処理手順１＞
この登録処理は、例えば、本認証登録・無効化装置１の導入後や、マンションに新たな家族が加わった場合などにおいて実行される。すなわち、未登録の認証用タグを新規なグループに登録する際の処理である。
【００４７】
まず、図５（ａ）において、認識エリアＡを利用してＩＣカードに内蔵された認証用タグの登録を行う操作者Ｏは、認識エリアＡを目視で確認することはできないが、トリガコイル２１ａ（図３）の取付場所を認識しているため、認識エリアＡを概ね把握している。
【００４８】
この操作者Ｏは、例えば、一方の手に指示装置４０を把持して認識エリアＡ内に入る。認識エリアＡに入ることで指示装置４０内の操作用タグ１０ｂが磁界発生手段２１（図３）によって起動されて、ＲＦＩＤ信号を発信する。この時点で発信するＲＦＩＤ信号は、指示についての情報を含まない。しかし、操作用タグ１０ｂは所定の時間間隔でＲＦＩＤ信号を発信するため、ＲＦＩＤタグ認識手段３１ａ（図１）は、認識エリアＡ内の操作用タグ１０ｂを認識する。
【００４９】
次に、操作者Ｏが切替・操作用ボタン４１，４２（図４）を押下して登録の指示を行なうと、操作用タグ１０ｂが発信するＲＦＩＤ信号には、登録指示を示す情報が含まれる。そして、認識エリアＡ内に位置する指示装置４０内の操作用タグ１０ｂは所定の時間間隔で登録指示を含むＲＦＩＤ信号を発信し続ける。
【００５０】
登録手段３２ａは、この登録指示を含むＲＦＩＤ信号をＲＦＩＤリーダ２が最初に受信した時点で、操作モードを登録可能モードに設定する。なお、操作モードは、装置１のメモリ上で記憶されて管理される。
【００５１】
その後、この登録可能モードの間に、図５（ｂ）に示すように、操作者Ｏが未登録認証用タグ１０ａ（「タグ１１」とする）を内蔵するＩＣカードを認識エリアＡ内に入れると、この認証用タグ１０ａ（「タグ１１」）がＲＦＩＤタグ認識手段３１ａ（図１）によって認識される。そして、登録手段３２ａが、管理テーブル４においてこの認証用タグ１０ａ（「タグ１１」）が登録されていないことを確認してから、新規グループＩに登録して、管理テーブル４に記録する。
【００５２】
そして、登録可能モードの間に、図５（ｃ）に示すように、操作者Ｏが別の未登録認証用タグ１０ａ（「タグ１２」とする）を内蔵するＩＣカードを認識エリアＡ内に入れると、先に認識エリアＡ内に入れられたＩＣカードの認証用タグ１０ａ（「タグ１１」）と同様に、登録手段３２ａが、管理テーブル４においてこの認証用タグ１０ａ（「タグ１２」）が登録されていないことを確認してから、先に認識エリアＡ内に入れられた認証用タグ１０ａ（「タグ１１」）と同一の新規グループＩに所属させて登録し、管理テーブル４に記録する。
【００５３】
その後、操作者Ｏが、切替・操作用ボタン４１，４２（図４）を押下して終了の指示を行なうと、操作用タグ１０ｂが発信するＲＦＩＤ信号から登録指示がなくなり、登録手段３２ａが登録可能モードを終了させる。
【００５４】
なお、別の新規なグループに未登録認証用タグを登録する場合には、登録可能モードが終了した後に、上述した登録処理を繰り返せばよい。
【００５５】
＜登録処理手順２＞
この登録処理は、例えば、企業の建物であれば新たに社員が入社して既存の部署に配属される場合や、マンションであれば同居人が増える場合などに実行される。すなわち、未登録の認証用タグを既存のグループに登録する際の処理である。
【００５６】
まず、図６（ａ）において、操作者Ｏは、例えば、一方の手に指示装置４０を把持し、他方の手に既登録の認証用タグ１０ａ（「タグ２１」とする）を内蔵するＩＣカードを把持して認識エリアＡ内に入る。なお、この既登録の認証用タグ１０ａ（「タグ２１」）を内蔵するＩＣカードは、例えば、通常所持している者から操作者Ｏが一時的に借りたものであり、既存グループIIに所属しているとする。認識エリアＡに入ることで指示装置４０内の操作用タグ１０ｂおよび認証用タグ１０ａ（「タグ２１」）が磁界発生手段２１（図３）によって起動されて、ＲＦＩＤ信号を発信する。この時点で発信するＲＦＩＤ信号は、指示についての情報を含まない。
【００５７】
次に、操作者Ｏが切替・操作用ボタン４１，４２（図４）を押下して登録の指示を行なうと、操作用タグ１０ｂが発信するＲＦＩＤ信号には、登録指示を示す情報が含まれる。そして、認識エリアＡ内に位置する指示装置４０内の操作用タグ１０ｂは所定の時間間隔で登録指示を含むＲＦＩＤ信号を発信し続ける。
【００５８】
登録手段３２ａは、この登録指示を含むＲＦＩＤ信号をＲＦＩＤリーダ２が最初に受信した時点で、操作モードを登録可能モードに設定する。
【００５９】
その後、この登録可能モードの間に、図６（ｂ）に示すように、操作者Ｏが、操作対象である未登録認証用タグ１０ａ（「タグ２２」とする）を内蔵する登録対象のＩＣカードを認識エリアＡ内に入れると、ＲＦＩＤタグ認識手段３１ａ（図１）が、認証用タグ１０ａ（「タグ２２」）を認識する。そして、登録手段３２ａが、管理テーブル４においてこの認証用タグ１０ａ（「タグ２２」）が登録されていないことを確認してから、登録可能モードの設定前から認識エリアＡ内に存在する認証用タグ１０ａ（「タグ２１」）が所属する既存グループIIに所属させて登録し、管理テーブル４に記録する。
【００６０】
次に、登録可能モードの間に、図６（ｃ）に示すように、操作者Ｏが別の未登録認証用タグ１０ａ（「タグ２３」とする）を内蔵するＩＣカードを認識エリアＡ内に入れると、先に認識エリアＡ内に入れられたＩＣカードの認証用タグ１０ａ（「タグ２２」）と同様に、登録手段３２ａが、管理テーブル４においてこの認証用タグ１０ａ（「タグ２３」）が登録されていないことを確認してから、登録可能モードの設定前から認識エリアＡ内に存在する認証用タグ１０ａ（「タグ２１」）が所属する既存グループIIに所属させて登録し、管理テーブル４に記録する。
【００６１】
その後、操作者Ｏが、切替・操作用ボタン４１，４２（図４）を押下して終了の指示を行なうと、操作用タグ１０ｂが発信するＲＦＩＤ信号から登録指示がなくなり、登録手段３２ａが登録可能モードを終了させる。
【００６２】
なお、別の既存グループに未登録認証用タグを登録する場合には、登録可能モードが終了した後に、上述した登録処理を繰り返せばよい。
【００６３】
＜登録処理手順３＞
この登録処理は、例えば、企業の建物であれば社員が新設された部署に移動した場合などにおいて実行される。すなわち、既存のグループに所属する既登録の認証用タグを新規なグループに変更する際の処理である。したがって、この登録処理は、認証用タグを新たに登録するものではなく、単に所属グループを変更させるための処理である。
【００６４】
まず、図７（ａ）において、操作者Ｏは、例えば、一方の手に指示装置４０を把持して認識エリアＡ内に入る。これにより、ＲＦＩＤタグ認識手段３１ａ（図１）は、認識エリアＡ内の操作用タグ１０ｂを認識する。
【００６５】
次に、操作者Ｏが切替・操作用ボタン４１，４２（図４）を押下して登録の指示を行なうと、認識エリアＡ内に位置する指示装置４０内の操作用タグ１０ｂは所定の時間間隔で登録指示を含むＲＦＩＤ信号を発信し続ける。
【００６６】
登録手段３２ａは、この登録指示を含むＲＦＩＤ信号をＲＦＩＤリーダ２が最初に受信した時点で、操作モードを登録可能モードに設定する。
【００６７】
この際、既存グループIIIに所属する既登録認証用タグ１０ａ（「タグ３１」とする）を内蔵するＩＣカードと、既存グループIVに所属する既登録認証用タグ１０ａ（「タグ３２」とする）を内蔵するＩＣカードとが、認識エリア外に存在するとする。
【００６８】
その後、この登録可能モードの間に、図７（ｂ）に示すように、操作者Ｏが既存グループIIIに所属する既登録認証用タグ１０ａ（「タグ３１」）を内蔵するＩＣカードを認識エリアＡ内に入れると、ＲＦＩＤタグ認識手段３１ａ（図１）は、認識エリアＡ内に位置する認証用タグ１０ａ（「タグ３１」）を認識し、登録手段３２ｂが、この認証用タグ１０ａ（「タグ３１」）を既存グループIIIの所属から新規グループＶの所属に変更し、管理テーブル４に記録する。
【００６９】
次に、変更可能モードの間に、図７（ｃ）に示すように、操作者Ｏが、別の既登録認証用タグ１０ａ（「タグ３２」とする）を内蔵するＩＣカードを認識エリアＡ内に入れると、先に認識エリアＡ内に入れられた認証用タグ１０ａ（「タグ３１」）と同様に、登録手段３２ｂが、この認証用タグ１０ａ（「タグ３２」）を既存グループIVの所属から新規グループＶの所属に変更し、管理テーブル４に記録する。
【００７０】
その後、操作者Ｏが、切替・操作用ボタン４１，４２（図４）を押下して終了の指示を行なうと、操作用タグ１０ｂが発信するＲＦＩＤ信号から登録指示がなくなり、登録手段３２ａが登録可能モードを終了させる。
【００７１】
なお、別の新規なグループに既登録認証用タグを変更する場合には、登録可能モードが終了した後に、上述した登録処理を繰り返せばよい。
【００７２】
＜登録処理手順４＞
この登録処理は、例えば、企業の建物であれば社員が別の既存の部署に配属される場合などに実行される。すなわち、既登録の認証用タグを、所属するグループから別の既存のグループに変更する際の処理である。したがって、この登録処理は、認証用タグを新たに登録するものではなく、単に所属グループを変更させるための処理である。
【００７３】
まず、図８（ａ）において、操作者Ｏは、例えば、一方の手に指示装置４０を把持し、他方の手に既登録の認証用タグ１０ａ（「タグ４１」とする）を内蔵するＩＣカードを把持して認識エリアＡ内に入る。なお、この既登録の認証用タグ１０ａ（「タグ４１」）を内蔵するＩＣカードは、例えば、通常所持している者から操作者Ｏが一時的に借りたものであり、既存グループVIに所属しているとする。
【００７４】
次に、操作者Ｏが切替・操作用ボタン４１，４２（図４）を押下して登録の指示を行なうと、認識エリアＡ内に位置する指示装置４０内の操作用タグ１０ｂは所定の時間間隔で登録指示を含むＲＦＩＤ信号を発信し続ける。
【００７５】
登録手段３２ａは、この登録指示を含むＲＦＩＤ信号をＲＦＩＤリーダ２が最初に受信した時点で、操作モードを登録可能モードに設定する。
【００７６】
この際、既存グループVIIに所属する既登録認証用タグ１０ａ（「タグ４２」とする）を内蔵するＩＣカードと、既存グループVIIIに所属する既登録認証用タグ１０ａ（「タグ４３」とする）を内蔵するＩＣカードとが、認識エリア外に存在するとする。
【００７７】
その後、この登録可能モードの間に、図８（ｂ）に示すように、操作者Ｏが、操作対象である既登録認証用タグ１０ａ（「タグ４２」とする）を内蔵する登録対象のＩＣカードを認識エリアＡ内に入れると、ＲＦＩＤタグ認識手段３１ａ（図１）は、認識エリアＡ内に位置する認証用タグ１０ａ（「タグ４２」）を認識する。そして、登録手段３２ａが、この認証用タグ１０ａ（「タグ４２」）を既存グループVIIの所属から既存グループVIの所属に変更し、管理テーブル４に記録する。
【００７８】
次に、登録可能モードの間に、図８（ｃ）に示すように、操作者Ｏが、操作対象である、別の既登録認証用タグ１０ａ（「タグ４３」）を内蔵する登録対象のＩＣカードを認識エリアＡ内に入れると、先に認識エリアＡ内に入れられた認証用タグ１０ａ（「タグ４２」）と同様に、登録手段３２ａが、管理テーブル４において、この認証用タグ１０ａ（「タグ４３」）を既存グループVIIIの所属から既存グループVIの所属に変更し、管理テーブル４に記録する。
【００７９】
その後、操作者Ｏが、切替・操作用ボタン４１，４２（図４）を押下して終了の指示を行なうと、操作用タグ１０ｂが発信するＲＦＩＤ信号から登録指示がなくなり、登録手段３２ａが登録可能モードを終了させる。
【００８０】
なお、別の既存グループに既登録認証用タグを所属させる場合には、登録可能モードが終了した後に、上述した登録処理を繰り返せばよい。
【００８１】
＜無効化処理手順１＞
この無効化処理は、例えば、企業の建物であれば社員が退職する場合や、マンションであれば同居人のうちの一部の人物のみが退去する場合などに実行される。すなわち、既登録の認証用タグを無効化する処理である。
【００８２】
まず、図９（ａ）において、操作者Ｏは、例えば、一方の手に指示装置４０を把持して認識エリアＡ内に入る。認識エリアＡに入ることで指示装置４０内の操作用タグ１０ｂが磁界発生手段２１（図３）によって起動されて、ＲＦＩＤ信号を発信する。この時点で発信するＲＦＩＤ信号は、指示についての情報を含まない。しかし、操作用タグ１０ｂは所定の時間間隔でＲＦＩＤ信号を発信するため、ＲＦＩＤタグ認識手段３１ａ（図１）は、認識エリアＡ内の操作用タグ１０ｂを認識する。
【００８３】
次に、操作者Ｏが切替・操作用ボタン４１，４２（図４）を押下して無効化の指示を行なうと、操作用タグ１０ｂが発信するＲＦＩＤ信号には、無効化指示を示す情報が含まれる。そして、認識エリアＡ内に位置する指示装置４０内の操作用タグ１０ｂは所定の時間間隔で無効化指示を含むＲＦＩＤ信号を発信し続ける。
【００８４】
無効化手段３２ｂは、この無効化指示を含むＲＦＩＤ信号をＲＦＩＤリーダ２が最初に受信した時点で、操作モードを無効化可能モードに設定する。
【００８５】
この際、既存グループIに所属する既登録認証用タグ１０ａ（「タグ１１」とする）を内蔵するＩＣカードと、既存グループIIに所属する既登録認証用タグ１０ａ（「タグ１２」とする）を内蔵するＩＣカードとが、認識エリア外に存在するとする。
【００８６】
その後、この無効化可能モードの間に、図９（ｂ）に示すように、操作者Ｏが既登録認証用タグ１０ａ（「タグ１１」とする）を内蔵するＩＣカードを認識エリアＡ内に入れると、ＲＦＩＤタグ認識手段３１ａ（図１）は、認識エリアＡ内に位置する認証用タグ１０ａ（「タグ１１」）を認識する。そして、無効化手段３２ｂが、この認証用タグ１０ａ（「タグ１１」）を無効化して管理テーブル４に記録するか、または管理テーブル４から削除する。なお、認証用タグ１０ａが無効化されると、同時に既存グループへの所属が解除される。
【００８７】
次に、無効化可能モードの間に、図９（ｃ）に示すように、操作者Ｏが、別の既登録認証用タグ１０ａ（「タグ１２」とする）を内蔵するＩＣカードを認識エリアＡ内に入れると、先に認識エリアＡ内に入れられた認証用タグ１０ａ（「タグ１１」）と同様に、無効化手段３２ｂが、この認証用タグ１０ａ（「タグ１２」）を無効化して管理テーブル４に記録するか、または管理テーブル４から削除する。
【００８８】
その後、操作者Ｏが、切替・操作用ボタン４１，４２（図４）を押下して終了の指示を行なうと、操作用タグ１０ｂが発信するＲＦＩＤ信号から無効化指示がなくなり、無効化手段３２ｂが無効化可能モードを終了させる。
【００８９】
＜無効化処理手順２＞
この無効化処理は、例えば、既登録の認証用カードを紛失した場合や、マンションの入居者が退去する場合などにおいて実行される。すなわち、既登録の認証用タグを用いてその認証用タグが所属するグループに所属する全ての認証用タグを無効化する処理である。
【００９０】
まず、図１０（ａ）において、操作者Ｏは、例えば、一方の手に指示装置４０を把持し、他方の手に紛失された既登録認証用タグが所属するグループIIIと同一のグループに所属している認証用タグ１０ａ（「タグ２１」とする）を含むＩＣカードを把持して認識エリアＡ内に入る。なお、この認証用タグ１０ａ（「タグ２１」とする）は、例えば、紛失せずに通常所持している者から操作者Ｏが一時的に借りたものである。また、この認証用タグ１０ａ（「タグ２１」とする）が所属するグループIIIには、紛失された認証用タグ（「タグ２２」とする）と、その他の認証用タグ（「タグ２３」〜「タグ２５」とする）が所属するとする。
【００９１】
認識エリアＡに入ることで指示装置４０内の操作用タグ１０ｂおよび認証用タグ１０ａ（「タグ２１」）が磁界発生手段２１（図３）によって起動されて、ＲＦＩＤ信号を発信する。この時点で発信するＲＦＩＤ信号は、指示についての情報を含まない。
【００９２】
次に、図９（ｂ）において、操作者Ｏが切替・操作用ボタン４１，４２（図４）を押下して無効化の指示を行なうと、操作用タグ１０ｂが発信するＲＦＩＤ信号には、無効化指示を示す情報が含まれる。この時点で、ＲＦＩＤタグ認識手段３１ａ（図１）は、認識エリアＡ内に位置する認証用タグ１０ａ（「タグ２１」）を認識するため、無効化手段３２ｂが、この認証用タグ１０ａ（「タグ２１」）が所属するグループIIIに所属する全ての認証用タグ１０ａ（「タグ２１」〜「タグ２５」）を無効化して管理テーブル４に記録するか、または管理テーブル４から削除する。なお、これら認証用タグ１０ａ（「タグ２１」〜「タグ２５」）が、無効化されると同時に既存グループIIIへの所属が解除されるだけでなく、このグループIIIも無効となる。
【００９３】
その後、操作者Ｏが、切替・操作用ボタン４１，４２（図４）を押下して終了の指示を行なうと、操作用タグ１０ｂが発信するＲＦＩＤ信号から無効化指示がなくなり、無効化手段３２ｂが無効化可能モードを終了させる。
【００９４】
認証用タグ１０ａ（「タグ２２」）が紛失した場合には、この無効化処理手順２によって、その紛失した認証用タグ１０ａ（「タグ２２」）が所属するグループに所属する全ての認証用タグ１０ａ（「タグ２１」〜「タグ２５」）が無効化される。したがって、グループに所属する認証用タグ１０ａの数が多すぎなければ、影響を最小限に抑えながら、紛失した認証用タグ１０ａを容易に無効化できる。このようにグループIIIの全ての認証用タグ１０ａ（「タグ２１」〜「タグ２５」）を無効化した後は、上記登録処理手順１、つまり未登録の認証用タグを新規なグループに登録する手順に従って、無効化された認証用タグ１０ａ（「タグ２１」〜「タグ２５」）に相当する数の未登録認証用タグ１０ａを、新規グループに登録すればよい。
【００９５】
以上のとおり、本発明に係る認証登録・無効化装置によれば、認証用タグを紛失しても、その無効化を容易に行うことができる上に、認証用タグの管理を簡易にできる。
【００９６】
なお、本実施形態では、上記登録処理手順１および３のように認証用タグ１０ａ（図５（ｃ）の「タグ１１」および「タグ１２」、もしくは図７（ｃ）の「タグ３１」および「タグ３２」）が新規グループに登録されるか、または、上記登録処理手順２および４のように認証用タグ１０ａ（図６（ｃ）の「タグ２２」および「タグ２３」、もしくは図８（ｃ）の「タグ４２および「タグ４３」））が既存グループに登録されるかは、それらの認証用タグ１０ａが登録可能モードの設定前と設定後のいずれに認識されたかに起因するものとしたが、このような順序、つまり登録可能モードの設定と認証用タグ１０ａの認識の順序によらないものであってもよい。
【００９７】
例えば、登録指示が、新規グループへの登録の指示と既存グループへの登録の指示との２種類の指示を含んでもよい。さらに指示の種類を細分化して、未登録認証用タグの新規グループへの登録の指示、既登録認証用タグの新規グループへの登録の指示、未登録認証用タグの既存グループへの登録の指示、および既登録認証用タグの既存グループへの登録の指示という４種類の指示を含んでもよい。なお、４種類の指示を含む場合、操作対象の認証用タグが未登録であるか既登録であるかと、指示とが整合しないことがある。整合しない場合には、その旨を指示装置４０から操作者に報知する。
【００９８】
同様に、本実施形態では、上記無効化処理手順１のように認識された認証用タグ１０ａ（図９（ｃ）の「タグ１１」および「タグ１２」）のみを無効化するか、または、上記無効化処理手順２のように認識された認証用タグが所属するグループの全ての認証用タグ１０ａ（図１０（ｃ）の「タグ２１」〜「タグ２５」）を無効化するかは、それらの認証用タグ１０ａが無効化可能モードの設定前と設定後のいずれに認識されたかに起因するものとしたが、このような順序、つまり、無効化可能モードの設定と認証用タグ１０ａの認識の順序によらないものであってもよい。例えば、無効化指示が、認識された認証用タグのみの無効化の指示とその所属するグループの全ての認証用タグの無効化の指示との２種類の指示を含んでもよい。
【００９９】
このように、登録と無効化の指示が複数種類存在する場合には、これら指示に対応して、複数の個別のボタンが指示装置４０（図４）に設けられてもよい。したがって、例えば登録の指示が４種類で無効化の指示の種類が２種類あれば、合計６種類のボタンが指示装置４０（図４）に設けられてもよい。代わりに、単一のボタンでモードが切り替えられて例えば６種類の指示モードが実現されてもよい。
【０１００】
また、上記実施形態では、ＲＦＩＤタグ１０がセミアクティブ型である場合について説明したが、ＲＦＩＤタグ１０は、電池を内蔵しないいわゆるパッシブ型や、電池を内蔵して自ら電波を発信するいわゆるアクティブ型であってもよい。
【０１０１】
さらに、登録および無効化は、それぞれ、一旦、仮登録および仮無効化の指示を受けて仮状態に設定してから本登録および本無効の状態に遷移することで実行されてもよい。特に、上記無効化処理手順１は、図９（ａ）に示すように、認識エリアＡ内に認証用タグ１０ａが存在しない状態から開始する。しかし、ある認証用タグ１０ａが認識エリアＡ内に存在していることを操作者Ｏが気付かずに、上記無効化処理手順１ではなく誤って上記無効化処理手順２が実行されると、その認証用タグ１０ａが所属するグループの全ての認証用タグ１０ａが無効化されてしまう。これに対して、一旦、仮無効化の指示を受けて仮状態に設定してから本無効の状態に遷移することで、このような誤った無効化を最小限に抑えることができる。
【符号の説明】
【０１０２】
１        認証登録・無効化装置
２        ＲＦＩＤリーダ
１０      ＲＦＩＤタグ
１０ａ    認証用タグ
１０ｂ    操作用タグ
３１ａ    ＲＦＩＤタグ認識手段
３２ａ    登録手段
３２ｂ    無効化手段
Ａ        認識エリア
【図１】
2014219752.tif 000003
【図２】
2014219752.tif 000004
【図３】
2014219752.tif 000005
【図４】
2014219752.tif 000006
【図５】
2014219752.tif 000007
【図６】
2014219752.tif 000008
【図７】
2014219752.tif 000009
【図８】
2014219752.tif 000010
【図９】
2014219752.tif 000011
【図１０】
2014219752.tif 000012